(57)【要約】【課題】コードを収容し且つ鼻隠しと軒樋との間の隙間を覆い隠すことのできる鼻隠しカバーを提供する。【解決手段】軒先に設けた鼻隠し４の軒側の面に取り付けられる鼻隠しカバー本体部１０で主体が構成され、鼻隠しカバー本体部１０の軒側の面が該面から離間して軒樋５が配置される軒樋対向面１０ａとなる鼻隠しカバー１である。軒樋対向面１０ａの下端部に軒側に向けて、下面が軒樋５との間の隙間Ｓの下方を覆い隠す下覆い面となり上面がコード３が載置される載置面となる覆い載置部２１を突出する。覆い載置部２１の軒側端部に脱落防止部２２を形成する。載置面上のコード３の収容空間２０の上方を覆い隠す上覆い部２３を鼻隠しカバー本体部１０の前記覆い載置部２１よりも上方の位置より軒側に向けて突設する。覆い載置部２１と上覆い部２３とからなるコード収容部２を形成する。【選択図】        図１
2011127366.tif 000002
【特許請求の範囲】
【請求項１】
軒先に設けた鼻隠しの軒側の面に取り付けられる鼻隠しカバー本体部で主体が構成され、鼻隠しカバー本体部の軒側の面が該面から離間して軒樋が配置される軒樋対向面となる鼻隠しカバーにおいて、軒樋対向面の下端部に軒側に向けて、下面が軒樋との間の隙間の下方を覆い隠す下覆い面となり上面がコードが載置される載置面となる覆い載置部を突出し、覆い載置部の軒側端部に脱落防止部を形成し、載置面上のコードの収容空間の上方を覆い隠す上覆い部を鼻隠しカバー本体部の前記覆い載置部よりも上方位置より軒側に向けて突設して、覆い載置部と上覆い部とからなるコード収容部を形成することを特徴とする鼻隠しカバー。
【請求項２】
コード収容部は、軒樋対向面から離間して配置される軒樋の下面よりも下方に位置するように形成することを特徴とする請求項１記載の鼻隠しカバー。
【発明の詳細な説明】
【技術分野】
【０００１】
本発明は、軒樋が設けられる軒先の鼻隠しに設けられる鼻隠しカバーに関するものである。
【背景技術】
【０００２】
従来から、屋根上に太陽電池パネル等の機器を設置する場合、機器に接続されるコードを屋根上に這わせ、軒先から屋内に引き込むことが行われている。この時、軒先から屋内への引き込み部まで張られる間のコードは垂れ下がり、強風等に煽られて暴れたり、太陽光や雨水に晒されて劣化したり、外観上見苦しいものであった。
【０００３】
軒先においては図８に示すように、屋根７の軒側の端部に沿うように軒樋５が配設される。鼻隠し４には軒樋吊り具６が取り付けてあり、軒樋吊り具６に軒樋５が吊り支持してある。また鼻隠し４の下部は軒樋５の棟側の面に沿わせるように下方に連出してあり、この下方に連出した部分に軒天井板８の前端を取付けて軒天井板８を支持している。
【先行技術文献】
【特許文献】
【０００４】
【特許文献１】特開２０００−４５４６９号公報
【発明の概要】
【発明が解決しようとする課題】
【０００５】
そこで、軒先から屋内にかけて張られるコードを軒樋５に沿って収容することが考えられた（例えば特許文献１参照）。
【０００６】
特許文献１に記載の発明は、鼻隠し４に取り付けられる軒樋吊り具６から支持片を垂下し、該支持片の下端部に鼻隠し４と軒樋５との間の隙間Ｓに位置する軒先隙間隠し板を設け、軒先隙間隠し板に配線や配管を載置するものである。
【０００７】
しかしながらこのものにあっては、軒先隙間隠し板が鼻隠し４と軒樋５との間の隙間Ｓに位置していて、軒先隙間隠し板と鼻隠し４との間には依然として隙間Ｓが形成されて目立ち、外観が損なわれてしまうものであった。
【０００８】
本発明は上記従来の問題点に鑑みて発明したものであって、その目的とするところは、コードを収容し且つ鼻隠しと軒樋との間の隙間を覆い隠すことのできる鼻隠しカバーを提供することを課題とするものである。
【課題を解決するための手段】
【０００９】
上記課題を解決するために本発明の鼻隠しカバー１は、以下の構成を具備している。
【００１０】
軒先に設けた鼻隠し４の軒側の面に取り付けられる鼻隠しカバー本体部１０で主体が構成され、鼻隠しカバー本体部１０の軒側の面が該面から離間して軒樋５が配置される軒樋対向面１０ａとなる。軒樋対向面１０ａの下端部に軒側に向けて、下面が軒樋５との間の隙間Ｓの下方を覆い隠す下覆い面となり上面がコード３が載置される載置面となる覆い載置部２１を突出し、覆い載置部２１の軒側端部に脱落防止部２２を形成し、載置面上のコード３の収容空間２０の上方を覆い隠す上覆い部２３を鼻隠しカバー本体部１０の前記覆い載置部２１よりも上方の位置より軒側に向けて突設して、覆い載置部２１と上覆い部２３とからなるコード収容部２を形成することを特徴とする。
【００１１】
また、コード収容部２は、軒樋対向面１０ａから離間して配置される軒樋５の下面よりも下方に位置するように形成することが好ましい。
【発明の効果】
【００１２】
本発明にあっては、従来のようにコードが軒先から垂れ下がるのが見えることがないため外観が損なわれることがなく、また、太陽光や雨水に晒されて劣化するのが防止され、更に、鼻隠しと軒樋との間の隙間を覆い隠すことができ、この点でも外観が損なわれるのが防止される。
【００１３】
また、コード収容部を軒樋の下面よりも下方に位置するように形成することで、軒樋を取り付けた状態でもコードを収容空間内に挿入する作業がし易くなる。
【図面の簡単な説明】
【００１４】
【図１】本発明の一実施形態の鼻隠しカバーを取り付けた軒先の断面図である。
【図２】同上の実施形態のコードを収容した鼻隠しカバーであり、（ａ）は斜め上方より見た斜視図であり、（ｂ）は側断面図であり、（ｃ）は固着具挿通孔を設けた箇所の正面図である。
【図３】同上の実施形態のコードを収容した鼻隠しカバーの斜め上方より見た斜視図である。
【図４】他の実施形態の鼻隠しカバーを取り付けた軒先の断面図である。
【図５】同上の実施形態のコードを収容した鼻隠しカバーであり、（ａ）は斜め上方より見た斜視図であり、（ｂ）は側断面図であり、（ｃ）は固着具挿通孔を設けた箇所の正面図である。
【図６】更に他の実施形態の鼻隠しカバーを取り付けた軒先の断面図である。
【図７】同上の実施形態のコードを収容した鼻隠しカバーであり、（ａ）は斜め上方より見た斜視図であり、（ｂ）は側断面図であり、（ｃ）は固着具挿通孔を設けた箇所の正面図である。
【図８】従来の軒先の断面図である。
【発明を実施するための形態】
【００１５】
以下、本発明を図１乃至図３に示す実施形態に基いて説明する。
【００１６】
軒先には軒樋５が取り付けられる。軒先の構造は図１に示すように、垂木７１の上に野地板７２が敷かれ、野地板７２の上に屋根防水シート７３が敷かれ、屋根防水シート７３の上に屋根材７４が葺かれて屋根７が形成されており、垂木７１の軒先の端部には鼻隠し４が装着してある。この鼻隠し４の軒側の面には後述する鼻隠しカバー１が設けてあり、この鼻隠しカバー１に軒樋吊り具６の基部の取り付け基板６１が固定され、軒樋吊り具６により軒樋５が吊り支持される。
【００１７】
また鼻隠し４の下部は軒樋５の棟側の面に沿わせるように下方に連出してあり、この下方に連出した部分に軒天井支持部（特に図示せず）が設けてあり、軒天井支持部に軒天井板８の前端が取り付けられて軒天井板８が支持される。
【００１８】
なお、軒先の構造は特に前記構造に限定されないが、本発明は少なくとも屋根７と鼻隠し４と該鼻隠し４から離間して配設される軒樋５とに相当する構成を備えたものが対象となる。
【００１９】
屋根材７４の上には太陽電池パネル等の機器（図示せず）が設置され、機器に接続されるコード３は屋根材７４上を這うように設置され、屋内に引き込まれる。ここで、機器としては太陽電池パネルやアンテナをはじめとする電気機器の他に、太陽熱温水パネルといった機器でもよく限定されない。コード３としては、電線や電線管、その他の管であってもよく限定されない。
【００２０】
鼻隠し４には鼻隠しカバー１が取り付けられる。図２に示すように、鼻隠しカバー１は金属又は合成樹脂製で、鼻隠しカバー本体部１０で主体が構成される。鼻隠しカバー本体部１０は、鼻隠し４の軒側の面に取り付けられるもので、鼻隠し４の軒側の面と略同形同大の板状をしたものである。
【００２１】
鼻隠しカバー本体部１０には、鼻隠し４に取り付けるための固着具挿通孔１１が穿設してある。固着具挿通孔１１は、ビスや釘等の固着具（図示せず）が挿通される貫通孔で、複数箇所に設けられる。図示例では、左右の二箇所に、上下に二箇所ずつ計４箇所に形成してあり、上側の固着具挿通孔１１ａは略円孔、下側の固着具挿通孔１１ｂは上下に長い長孔となっている。そして、鼻隠しカバー本体部１０を鼻隠し４の軒側の面に当接させ、固着具挿通孔１１を介して固着具を鼻隠し４に固着することで、鼻隠しカバー本体部１０を鼻隠し４に固定する。
【００２２】
鼻隠しカバー本体部１０には、軒側の面に軒樋吊り具６が取り付けられる。軒樋吊り具６は、その取り付け基板６１に固着具挿通孔（図示せず）が穿設してあり、軒樋吊り具６を鼻隠しカバー本体部１０の軒側の面に当接させ、ビスや釘等の固着具（図示せず）を固着具挿通孔に挿通して鼻隠しカバー本体部１０を貫通し、固着具を鼻隠し４に固着することで軒樋吊り具６を鼻隠し４に固定する。軒樋吊り具６に吊り支持される軒樋５は、棟側の面が鼻隠しカバー本体部１０の軒樋５と対向する軒樋対向面１０ａ（すなわち軒側の面）より離間し、この間に隙間Ｓが形成される。
【００２３】
鼻隠しカバー本体部１０には、その軒樋対向面１０ａの下端部から軒側に向けて覆い載置部２１が突設される。覆い載置部２１は、下面が軒樋５との間の隙間Ｓの下方を覆い隠す下覆い面となると共に、上面がコード３が載置される載置面となるもので、軒側端部にはコード３の脱落を防止する脱落防止部２２が形成される。脱落防止部２２は、覆い載置部２１の載置面よりも上方に位置してコード３の軒側への移動を規制して脱落を防止するもので、図示例では、覆い載置部２１は鼻隠しカバー本体部１０の下端から略直角に連設されると共に、該覆い載置部２１の軒側端部から脱落防止部２２が棟側斜め上方に連設され、全体で略Ｌ字状をしている。載置面上の空間がコード３が収容される収容空間２０となる。
【００２４】
また鼻隠しカバー本体部１０には、前記収容空間２０の上方を覆い隠す上覆い部２３が軒側に向けて突設してある。上覆い部２３は、鼻隠しカバー本体部１０の下端の前記覆い載置部２１が突設される位置よりも上方の位置より突設されるもので、図示例では、鼻隠しカバー本体部１０から略直角に突出する上横片２３ａと、上横片２３ａの軒側端部から軒側斜め下方に連設される外縦片２３ｂとからなる略逆Ｌ字状をしたものである。上横片２３ａの軒側端部は、覆い載置部２１及び脱落防止部２２の軒側端部よりも軒側にまで伸びており、外縦片２３ｂの下端部は、脱落防止部２２の上端部よりも下側にまで伸びており、外縦片２３ｂと脱落防止部２２の間にはコード挿入隙間２４が斜め下方に開口するように形成されている。コード３は、コード挿入隙間２４より内方に挿入されて載置面上に載置され、覆い載置部２１と脱落防止部２２とでコード収容部２が形成される。
【００２５】
また図３に示すように、コード収容部２の長手方向の一部には、コード３を収容空間２０内外へ挿通する切欠２５が形成してあり、コード収容部２から導出されたコード３は屋根７上の機器に向けて上方に伸ばしたり、電気メーター等の機器に向けて下方に伸ばしたりすることができる。
【００２６】
本発明の鼻隠しカバー１にあっては、コード収容部２にコード３を収容することで、従来のように軒先からコード３が垂れ下がるのが見えることがないため、見苦しいといったことがなく外観が損なわれることがない。また、上覆い部２３により降雨を避けることができると共に直射日光が射し込むこともなく、太陽光や雨水に晒されて劣化するのが防止される。
【００２７】
また、コード収容部２により鼻隠し４と軒樋５との間の隙間Ｓを覆い隠すことができるため、外観が損なわれるのが防止される。なお、鼻隠し４と軒樋５との間の隙間Ｓは完全に覆い隠さなくてもよく、大部分を覆い隠すものであれば外観上問題はない。
【００２８】
また図示例では、軒樋５の底面よりも下方に位置するように設けてあるため、軒樋５を取り付けた状態でもコード３を収容空間２０内に挿入する際に軒樋５が邪魔にならず、作業がし易いものである。
【００２９】
次に、他の実施形態について図４及び図５に基いて説明する。なお、図１乃至図３に示す実施形態と大部分において同じであるため、同じ部分については同符号を付して説明を省略し、主に異なる部分について説明する。
【００３０】
本実施形態は、図１乃至図３に示す実施形態とはコード収容部２が異なるものである。図４及び図５に示すように、覆い載置部２１及び脱落防止部２２は、鼻隠しカバー本体部１０の下端から上方に開口する略円弧状に連設され、境界は明確に形成されていない。また上覆い部２３は、下方に開口する略円弧状に連設され、覆い載置部２１及び脱落防止部２２と上覆い部２３とで略円形状をなしている。脱落防止部２２と上覆い部２３の端部間にはコード挿入隙間２４が形成されている。
【００３１】
脱落防止部２２と上覆い部２３のそれぞれの軒側端部には、コード挿入隙間２４へコード３を挿入する際のガイドとなる外開きの導入ガイド２６が設けてある。コード３を収容空間２０内へ挿入するには、脱落防止部２２と上覆い部２３の軒側端部を開き、コード３をコード挿入隙間２４へ挿入することで行われるもので、脱落防止部２２と上覆い部２３とは可撓性を有している。
【００３２】
本実施形態においては、上実施形態における効果に加えて、脱落防止部２２と上覆い部２３の軒側端部を開いてコード３を挿入することにより、上実施形態で収容可能なコード３よりも太い径のコード３を収容することが可能となる。
【００３３】
次に、更に他の実施形態について図６及び図７に基いて説明する。なお、図１乃至図３に示す実施形態と大部分において同じであるため、同じ部分については同符号を付して説明を省略し、主に異なる部分について説明する。
【００３４】
本実施形態も、図１乃至図３に示す実施形態とはコード収容部２が異なるものである。図６及び図７に示すように、覆い載置部２１は鼻隠しカバー本体部１０の下端から略直角に連設されると共に、該覆い載置部２１の軒側端部から脱落防止部２２の一部をなす脱落防止片２２ａが上方に略直角に連設され、全体で略Ｌ字状をしている。また上覆い部２３は、鼻隠しカバー本体部１０から略直角に突出する上横片２３ａと、上横片２３ａの軒側端部から下方に略直角に連設される外縦片２３ｂとからなる略逆Ｌ字状をしたものである。脱落防止片２２ａと上覆い部２３の端部間にはコード挿入隙間２４が形成されている。そして本実施形態では、脱落防止部２２の一部をなす閉塞部材２２ｂを設けるものである。閉塞部材２２ｂはコード挿入隙間２４を閉塞するもので、可撓性を有する材料で形成され、例えばゴムで形成されるのが好ましい。閉塞部材２２ｂは係止、ビス止め、嵌入、接着等により脱落防止片２２ａと上覆い部２３の一方又は両方に固定される。図示例では、上覆い部２３の端部の内面に接着により閉塞部材２２ｂの上端部が固定され、下端部は自由端となっており、閉塞部材２２ｂに力がかからない状態で下端部が脱落防止片２２ａの内面に当接するように付勢される。
【００３５】
コード３を収容空間２０内へ挿入するには、閉塞部材２２ｂを押し込んでコード３をコード挿入隙間２４へ挿入することで行われる。
【００３６】
本実施形態においては、図１乃至図３に示す実施形態における効果に加えて、収容空間２０を略密閉することが可能となり、太陽光や雨水に晒されて劣化するのがより一層防止される。
【符号の説明】
【００３７】
１    鼻隠しカバー
１０  鼻隠しカバー本体部
１０ａ  軒樋対向面
２    コード収容部
２０  収容空間
２１  覆い載置部
２２  脱落防止部
２３  上覆い部
２４  コード挿入隙間
３    コード
４    鼻隠し
５    軒樋
６    軒樋吊り具
７    屋根
７１  垂木
７２  野地板
７３  屋根防水シート
７４  屋根材
８    軒天井板
Ｓ    隙間
【図１】
2011127366.tif 000003
【図２】
2011127366.tif 000004
【図３】
2011127366.tif 000005
【図４】
2011127366.tif 000006
【図５】
2011127366.tif 000007
【図６】
2011127366.tif 000008
【図７】
2011127366.tif 000009
【図８】
2011127366.tif 000010